(57)【要約】【課題】原稿が記録媒体により的確に収まるように画像形成を行うことのできる画像制御装置を提供する。【解決手段】読取手段（原稿読取装置２００）によって読み取った原稿のサイズを検知する第１の検知手段（原稿サイズ検知センサＳ１〜Ｓ４）によって検出された原稿のサイズと、使用者によって予め設定された倍率の範囲とに基づいて、画像情報を出力する記録媒体のサイズを決定する決定手段（印刷用紙決定部５００）と、決定手段で決定された記録媒体のサイズに基づいて、画像情報について拡大処理、縮小処理または回転処理のうち少なくとも一つの処理をする処理手段（画像処理部４００）と、処理手段で処理した画像情報を出力する出力手段（画像形成部６００）とを備える。【選択図】図６
2012129874.tif 000002
【特許請求の範囲】
【請求項１】
読取手段によって読み取った原稿のサイズを検知する第１の検知手段によって検出された前記原稿のサイズと、使用者によって予め設定された倍率の範囲とに基づいて、画像情報を出力する記録媒体のサイズを決定する決定手段と、
前記決定手段で決定された記録媒体のサイズに基づいて、前記画像情報について拡大処理、縮小処理または回転処理のうち少なくとも一つの処理をする処理手段と、
前記処理手段で処理した画像情報を出力する出力手段と、
を備えることを特徴とする画像制御装置。
【請求項２】
前記決定手段で決定されたサイズの記録媒体が複数のサイズ毎に記録媒体を収容する収容手段の何れかに存在するか否かを判定する判定手段と、
該判定手段で前記サイズの記録媒体が存在しないと判定された場合には前記第１の検知手段で検知されたサイズの記録媒体が収容された収容手段を選択するように制御する制御手段と、
を備えることを特徴とする請求項１に記載の画像制御装置。
【請求項３】
前記決定手段は、
前記設定された倍率の範囲内において前記原稿が収まる最小サイズの記録媒体を決定することを特徴とする請求項１または請求項２の何れかに記載の画像制御装置。
【請求項４】
設定された読取倍率で原稿の画像情報を読み取る読取手段と、
前記原稿を読み取る際に当該原稿のサイズを検知する第２の検知手段と、
該第２の検知手段で検知されたサイズ及び使用者によって予め設定された倍率の範囲に基づいて、前記画像情報を出力する記録媒体のサイズを決定する決定手段と、
該決定手段で決定されたサイズに基づいて、前記画像情報に対して設定された範囲内で拡大処理、縮小処理または回転処理のうち少なくとも一つの処理を行う処理手段と、
前記決定手段で決定されたサイズの記録媒体に対して、前記処理手段で処理された画像情報または前記読取手段で読み取られた画像情報に基づいて画像形成を行う画像形成手段と、
を備えることを特徴とする画像形成装置。
【請求項５】
読取手段によって読み取った原稿のサイズを検知する第１の検知手段によって検出された前記原稿のサイズと、収容手段に収容されている記録媒体に収まるよう算出された画像サイズとに基づいて、画像情報を出力する記録媒体のサイズを決定する決定手段と、
前記決定手段で決定された記録媒体のサイズに基づいて、前記画像情報について拡大処理、縮小処理または回転処理のうち少なくとも一つの処理をする処理手段と、
前記処理手段で処理した画像情報を出力する出力手段と、
を備えることを特徴とする画像制御装置。
【請求項６】
前記処理手段は、
前記算出された画像サイズに基づいて、前記拡大処理または前記縮小処理を実行することを特徴とする請求項５に記載の画像制御装置。
【請求項７】
前記決定手段は、
設定された範囲内において前記原稿が収まる最小サイズの記録媒体を決定することを特徴とする請求項５または請求項６の何れかに記載の画像制御装置。
【請求項８】
原稿の読み取りに先立って前記原稿のサイズを検知する第１の検知手段と、
設定された読取倍率で前記原稿の画像情報を読み取る読取手段と、
前記原稿の読み取り時に当該原稿のサイズを検知する第２の検知手段と、
サイズ毎に記録媒体を収容する複数の収容手段と、
前記読取手段で読み取った画像情報について、前記収容手段に収容されている記録媒体に収まる画像サイズを算出する算出手段と、
前記第２の検知手段で検知された前記原稿のサイズと前記算出手段で算出された画像サイズとを比較する比較手段と、
該比較手段による比較結果により、前記画像情報に基づいて画像形成を行う記録媒体を決定する決定手段と、
該決定手段で決定されたサイズの記録媒体が前記複数の収容手段の何れかに存在するか否かを判定する判定手段と、
該判定手段で当該サイズの記録媒体が存在すると判定された場合には当該サイズの記録媒体を収容した収容手段を選択し、前記サイズの記録媒体が存在しないと判定された場合には前記第１の検知手段で検知されたサイズの記録媒体が収容された収容手段を選択するように制御する制御手段と、
前記画像情報に対して画像処理を行う処理手段と、
前記制御手段による制御で選択された収容手段に収容されている記録媒体に対して、前記処理手段で画像処理が行われた画像情報または前記読取手段で読み取られた画像情報に基づいて画像形成を行う画像形成手段と、
を備えることを特徴とする画像形成装置。
【請求項９】
請求項４または請求項８の何れかに記載の少なくとも１の画像形成装置と、
通信手段を介して前記画像形成装置と接続される少なくとも１の情報処理装置と、
から構成されることを特徴とする画像形成システム。
【請求項１０】
読み取った原稿のサイズを検知し、検出された前記原稿のサイズと、使用者によって予め設定された倍率の範囲とに基づいて、前記画像情報を出力する記録媒体のサイズを決定する決定過程と、
前記決定過程で決定された記録媒体のサイズに基づいて、前記画像情報を拡大処理、縮小処理または回転処理のうち少なくとも一つの処理する処理過程と、
を演算手段に実行させることを特徴とする処理プログラム。
【発明の詳細な説明】
【技術分野】
【０００１】
本発明は、画像制御装置、画像形成装置、画像形成システムおよび処理プログラムに関するものである。
【背景技術】
【０００２】
従来から複写機などの画像形成装置の中には、画像の読み取り対象となる原稿のサイズと、使用者が指定した印刷用紙のサイズ（画像の形成対象となる印刷用紙のサイズ）とに基づいて、複写倍率を決定する所謂「自動倍率設定モード」を備えているものがある。
【０００３】
例えば、原稿サイズがＡ３、用紙サイズがＡ４の場合は、複写倍率を７１％と決定し、原稿サイズがＡ４、用紙サイズがＢ５の場合は、複写倍率を８７％と決定している。
【０００４】
また、原稿サイズと用紙サイズが同一サイズの場合は、複写倍率を１００％（等倍）と決定している。
【０００５】
また、原稿サイズがＢ５、用紙サイズがＡ４の場合は、複写倍率を１１５％と決定し、原稿サイズがＡ４、用紙サイズがＡ３の場合は、複写倍率を１４１％と決定している。
【０００６】
ところで、原稿サイズおよび印刷用紙のサイズとしては、ＪＩＳ−Ｐ０１３８規格に準拠するＡ系列（Ａ０〜Ａ１２）、Ｂ系列（Ｂ０〜Ｂ１２）、欧米のレターサイズ、リーガルサイズ等の多岐の規格が適用されている。
【０００７】
また、上記の規格に属さない所謂非定型サイズも種々使用されている。
【０００８】
このため、上述のような自動倍率設定モードにおいて通常の倍率設定を適用した場合に、読み取った原稿の画像が印刷用紙にうまく収まらずに、原稿の一部が印刷されなかったり、あるいは無駄な余白を生じる場合があった。
【０００９】
また、自動的に印刷用紙を選択する機能（自動用紙選択機能）を備える場合にも同様の状況を生じる場合がある。
【００１０】
例えば、原稿サイズが２９７×２３０（ｍｍ）のような非定型サイズであった場合に、当該原稿のサイズに近似するサイズとしてＡ３タテ（Ａ３ＳＥＦ（Ｓｈｏｒｔ  Ｅｄｇｅ  Ｆｅｅｄ））とセンサによって検知されて、Ａ３タテの印刷用紙が選択されると、画像の倍率が１００％の場合には原稿の画像サイズに比して印刷用紙のサイズの方がかなり大きいため無駄な余白を生じ、使用者等に違和感を抱かせることがある。
【００１１】
画像形成装置における用紙選択に関する技術は種々提案されている。
【００１２】
例えば、特開平０５−２２５８０号公報には、受信した画像情報のサイズが印刷可能なサイズより大きい場合に、予め設定された縮小率で画像情報を縮小して印刷するファクシミリ装置において、縮小率を各種に変更可能とすると共に、縮小率の種類の増加や電子回路の小容量化などを実現する技術が開示されている。
【００１３】
また、特開２００１−８６３２６号公報には、定型外の原稿であっても、原稿と用紙を走査してそれぞれサイズを読み取って拡大縮小し、また、原稿イメージと同サイズ以上の用紙を選択する技術が開示されている。
【先行技術文献】
【特許文献】
【００１４】
【特許文献１】特開平０５−２２５８０号公報
【特許文献２】特開２００１−８６３２６号公報
【発明の概要】
【発明が解決しようとする課題】
【００１５】
本発明は、使用者が許容する範囲内で画像処理を行いつつ、記録媒体における余白の部分を減少させる画像制御装置、画像形成装置、画像形成システムおよび処理プログラムを提供することを目的とする。
【課題を解決するための手段】
【００１６】
前記課題を解決するため、請求項１の発明に係る画像制御装置は、読取手段によって読み取った原稿のサイズを検知する第１の検知手段によって検出された前記原稿のサイズと、使用者によって予め設定された倍率の範囲とに基づいて、画像情報を出力する記録媒体のサイズを決定する決定手段と、前記決定手段で決定された記録媒体のサイズに基づいて、前記画像情報について拡大処理、縮小処理または回転処理のうち少なくとも一つの処理をする処理手段と、前記処理手段で処理した画像情報を出力する出力手段とを備えることを特徴とする。
【００１７】
請求項２の発明に係る画像制御装置は、請求項１に記載の発明について、前記決定手段で決定されたサイズの記録媒体が複数のサイズ毎に記録媒体を収容する収容手段の何れかに存在するか否かを判定する判定手段と、該判定手段で前記サイズの記録媒体が存在しないと判定された場合には前記第１の検知手段で検知されたサイズの記録媒体が収容された収容手段を選択するように制御する制御手段とを備えることを特徴とする。
【００１８】
請求項３の発明に係る画像制御装置は、請求項１または請求項２の何れかに記載の発明について、前記決定手段は、前記設定された倍率の範囲内において前記原稿が収まる最小サイズの記録媒体を決定することを特徴とする。
【００１９】
請求項４の発明に係る画像形成装置は、設定された読取倍率で原稿の画像情報を読み取る読取手段と、前記原稿を読み取る際に当該原稿のサイズを検知する第２の検知手段と、該第２の検知手段で検知されたサイズ及び使用者によって予め設定された倍率の範囲に基づいて、前記画像情報を出力する記録媒体のサイズを決定する決定手段と、該決定手段で決定されたサイズに基づいて、前記画像情報に対して設定された範囲内で拡大処理、縮小処理または回転処理のうち少なくとも一つの処理を行う処理手段と、前記決定手段で決定されたサイズの記録媒体に対して、前記処理手段で処理された画像情報または前記読取手段で読み取られた画像情報に基づいて画像形成を行う画像形成手段とを備えることを特徴とする。
【００２０】
請求項５の発明に係る画像制御装置は、読取手段によって読み取った原稿のサイズを検知する第１の検知手段によって検出された前記原稿のサイズと、収容手段に収容されている記録媒体に収まるよう算出された画像サイズとに基づいて、画像情報を出力する記録媒体のサイズを決定する決定手段と、前記決定手段で決定された記録媒体のサイズに基づいて、前記画像情報について拡大処理、縮小処理または回転処理のうち少なくとも一つの処理をする処理手段と、前記処理手段で処理した画像情報を出力する出力手段とを備えることを特徴とする。
【００２１】
請求項６の発明に係る画像制御装置は、請求項５に記載の発明について、前記処理手段は、前記算出された画像サイズに基づいて、前記拡大処理または前記縮小処理を実行することを特徴とする。
【００２２】
請求項７の発明に係る画像制御装置は、請求項５または請求項６の何れかに記載の発明について、前記決定手段は、設定された範囲内において前記原稿が収まる最小サイズの記録媒体を決定することを特徴とする。
【００２３】
請求項８の発明に係る画像形成装置は、原稿の読み取りに先立って前記原稿のサイズを検知する第１の検知手段と、設定された読取倍率で前記原稿の画像情報を読み取る読取手段と、前記原稿の読み取り時に当該原稿のサイズを検知する第２の検知手段と、サイズ毎に記録媒体を収容する複数の収容手段と、前記読取手段で読み取った画像情報について、前記収容手段に収容されている記録媒体に収まる画像サイズを算出する算出手段と、前記第２の検知手段で検知された前記原稿のサイズと前記算出手段で算出された画像サイズとを比較する比較手段と、該比較手段による比較結果により、前記画像情報に基づいて画像形成を行う記録媒体を決定する決定手段と、該決定手段で決定されたサイズの記録媒体が前記複数の収容手段の何れかに存在するか否かを判定する判定手段と、該判定手段で当該サイズの記録媒体が存在すると判定された場合には当該サイズの記録媒体を収容した収容手段を選択し、前記サイズの記録媒体が存在しないと判定された場合には前記第１の検知手段で検知されたサイズの記録媒体が収容された収容手段を選択するように制御する制御手段と、前記画像情報に対して画像処理を行う処理手段と、前記制御手段による制御で選択された収容手段に収容されている記録媒体に対して、前記処理手段で画像処理が行われた画像情報または前記読取手段で読み取られた画像情報に基づいて画像形成を行う画像形成手段とを備えることを特徴とする。
【００２４】
請求項９の発明に係る画像形成システムは、請求項４または請求項８の何れかに記載の少なくとも１の画像形成装置と、通信手段を介して前記画像形成装置と接続される少なくとも１の情報処理装置と、から構成されることを特徴とする。
【００２５】
請求項１０の発明に係る処理プログラムは、読み取った原稿のサイズを検知し、検出された前記原稿のサイズと、使用者によって予め設定された倍率の範囲とに基づいて、前記画像情報を出力する記録媒体のサイズを決定する決定過程と、前記決定過程で決定された記録媒体のサイズに基づいて、前記画像情報を拡大処理、縮小処理または回転処理のうち少なくとも一つの処理する処理過程と、を演算手段に実行させることを特徴とする。
【発明の効果】
【００２６】
本発明によれば以下の効果を奏することができる。
【００２７】
すなわち、請求項１に記載の発明によれば、本構成を有していない場合に比較して、使用者が許容する範囲内で画像処理を行いつつ、記録媒体における余白の部分を減少させる画像制御装置を提供することができる。
【００２８】
請求項２に記載の発明によれば、本構成を有していない場合に比較して、より適したサイズの記録媒体に原稿が収まるように画像形成を行う画像制御装置を提供することができる。
【００２９】
請求項３に記載の発明によれば、本構成を有していない場合に比較して、装置が備える記録媒体の中に決定されたサイズの記録媒体がなくても、画像形成を継続することができる画像制御装置を提供することができる。
【００３０】
請求項４に記載の発明によれば、本構成を有していない場合に比較して、使用者が許容する範囲内において原稿が収まる最小サイズの記録媒体用いて画像形成を行う画像形成装置を提供することができる。
【００３１】
請求項５に記載の発明によれば、本構成を有していない場合に比較して、使用者が許容する範囲内で画像処理を行いつつ、記録媒体における余白の部分を減少させる画像制御装置を提供することができる。
【００３２】
請求項６に記載の発明によれば、本構成を有していない場合に比較して、前記算出された画像サイズに基づいて、前記拡大処理または前記縮小処理を実行して原稿が記録媒体により的確に収まるように画像形成を行う画像制御装置を提供することができる。
【００３３】
請求項７に記載の発明によれば、本構成を有していない場合に比較して、設定された範囲内において原稿が収まる最小サイズの記録媒体を決定して違和感を極力緩和する画像制御装置を提供することができる。
【００３４】
請求項８に記載の発明によれば、本構成を有していない場合に比較して、装置が備える記録媒体の中に決定されたサイズの記録媒体がなくても、画像形成を継続することができる画像制御装置を提供することができる。
【００３５】
請求項９に記載の発明によれば、本構成を有していない場合に比較して、画像処理された画像情報が収まるサイズの記録媒体を決定し、原稿が記録媒体により的確に収まるように画像形成を行う画像形成システムを提供することができる。
【００３６】
請求項１０に記載の発明によれば、本構成を有していない場合に比較して、画像処理された画像情報が収まるサイズの記録媒体を決定し、原稿が記録媒体により的確に収まるように画像形成を行う処理プログラムを提供することができる。
【図面の簡単な説明】
【００３７】
【図１】実施の形態に係る画像形成装置Ｍ１（Ｍ２）の概略構成を示す構成図である。
【図２】実施の形態に係る画像形成装置Ｍ１（Ｍ２）における原稿サイズ検知装置の構成例を示す斜視図である。
【図３】実施の形態に係る画像形成装置Ｍ１（Ｍ２）における原稿サイズ検知センサＳ１〜Ｓ４の配置例を示す説明図である。
【図４】実施の形態に係る画像形成装置Ｍ１（Ｍ２）における原稿サイズの検知例を示す説明図である。
【図５】実施の形態に係る画像形成装置Ｍ１（Ｍ２）の概略構成を示すブロック図である。
【図６】第１の実施の形態に係る画像形成装置Ｍ１の機能構成を示す機能ブロック図である。
【図７】第１の実施の形態に係る画像形成装置Ｍ１で実行される複写処理の処理手順について説明するフローチャートである。
【図８】原稿サイズおよび許容範囲で拡大または縮小される画像情報の例を示す説明図である。
【図９】第２の実施の形態に係る画像形成装置Ｍ２の機能構成を示す機能ブロック図である。
【図１０】第２の実施の形態に係る画像形成装置Ｍ２で実行される複写処理の処理手順について説明するフローチャートである。
【発明を実施するための形態】
【００３８】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３９】
（第１の実施の形態）
【００４０】
図１から図８を参照して、本発明についての第１の実施の形態に係る画像形成装置Ｍ１について説明する。
【００４１】
なお、説明中における「定型サイズ」とは、例えばＪＩＳ規格に則ったＡ列（Ａ３、Ａ４等）、Ｂ列（Ｂ３、Ｂ４等）や米国規格のリーガルサイズ等に準拠した原稿のサイズをいう。
【００４２】
例えば、Ａ４は２１０ｍｍ×２９７ｍｍ、Ｂ４は２５７ｍｍ×３６４ｍｍ、Ａ５は１４８ｍｍ×２１０ｍｍ、Ｂ５は１８２ｍｍ×２５７ｍｍ等である。
【００４３】
また、説明中における「原稿実サイズ」とは、後述する原稿実サイズ検知部３００によって、画像情報あるいは主走査長、副走査長等に基づいて検知される原稿の実際のサイズをいう。
【００４４】
また、説明中における「ＬＥＦ（Ｌｏｎｇ  Ｅｄｇｅ  Ｆｅｅｄの略）」とは、用紙の長辺が用紙搬送方向に対して垂直に位置している状態を指し、いわゆる「横送り」をいう。
【００４５】
さらに、説明中における「ＳＥＦ（Ｓｈｏｒｔ  Ｅｄｇｅ  Ｆｅｅｄの略）」とは、用紙の長辺が用紙搬送方向に対して垂直に位置している状態を指し、いわゆる「縦送り」をいう。
【００４６】
また、説明中においてＡ４タテ等とは、搬送方向側に用紙の長手がある場合を、Ａ４ヨコ等とは、搬送方向と交差する側に用紙の長手がある場合をいうものとする。
【００４７】
図１に、原稿サイズ検知装置を備える複写機等として構成される画像形成装置Ｍ１を示す。
【００４８】
画像形成装置Ｍ１には、原稿台４としてのプラテンガラス（以降、プラテンガラス４とも記す）上に置かれる原稿６を読み取る原稿読取装置（スキャナ装置）２００が設けられている。
【００４９】
また、原稿読取装置２００で読み取られた原稿６の画像情報を蓄積するハードディスク装置等で構成される画像蓄積部１５０と、画像蓄積部１５０に蓄積された画像情報に基づいて拡大、縮小、回転等の画像処理を行う画像処理部４００（図５、図６参照）と、この画像処理部４００で画像処理された画像情報に基づいて画像形成を行う画像形成部６００とが設けられている。
【００５０】
画像形成部６００は、像保持体としての感光体ドラム２を備える。この感光体ドラム２の表面は、図示しない一次帯電器によって、予め設定された電位に帯電された後、露光手段３によって露光されて、静電潜像が形成されるようになっている。
【００５１】
露光手段３は、レーザビームを出射する光源７と、レーザビームを感光体ドラム２上へと導く複数枚のミラー９〜１１で構成される光学系と、画像を感光体ドラム２上に結像する結像レンズ１２とから構成されている。この露光手段３によって画像が露光され、静電潜像が形成された感光体ドラム２の表面は、図示しない現像装置によって現像され、トナー像となる。
【００５２】
なお、感光体ドラム２上に形成されたトナー像は、感光体ドラム２の回転と同期して複数の収容部Ｔ１、Ｔ２（収容手段の一例））の何れかから選択的に搬送される印刷用紙１５（記録媒体の一例）上に、転写帯電器１６の帯電によって転写される。その後、この印刷用紙１５が、分離帯電器１７の帯電によって感光体ドラム２上から分離されるようになっている。
【００５３】
但し、収容部の数は、２つに限られず、収容部を１つのみ設ける場合や、３つ以上設ける場合であってもよい。
【００５４】
感光体ドラム２の表面から分離された印刷用紙１５は、定着装置１８へと搬送され、定着装置１８によりトナー像が熱および圧力によって定着されて、装置Ｍ１外の排出部１９上に排出されるようになっている。
【００５５】
なお、上記構成に加えて、複数枚の原稿を自動的に送給する自動紙送り装置を備えるようにしてもよい。
【００５６】
また、画像形成装置Ｍ１が備える原稿サイズ検知装置１００は、原稿台４に開閉自在に設けられた原稿カバー５と、原稿台４上に置かれた原稿６の原稿サイズを検知するセンサ（以下「原稿サイズ検知センサ」という。）Ｓ１〜Ｓ４（第１の検知手段の一例）とから構成されている。
【００５７】
原稿サイズ検知装置１００は、図２に示すように、原稿台４としてのプラテンガラス上の複数の位置における原稿６の有無を検知する原稿サイズ検知センサＳ１〜Ｓ４を備えている。
【００５８】
この原稿サイズ検知センサＳ１〜Ｓ４は、プラテンガラス４の下方に配置された４つの光センサで構成されている。
【００５９】
なお、原稿サイズ検知センサの数は、４つに限定されず、検知したい原稿サイズ等に応じて増減するようにしてもよい。
【００６０】
光センサの構成は特には限定されず、例えばＬＥＤ等の発光素子からプラテンガラス４上の位置に向けて光を照射し、原稿６から反射される光をフォトトランジスタ等の受光素子によって受光することにより、プラテンガラス４上の複数の位置における原稿６の有無を検知するようにしてもよい。
【００６１】
プラテンガラス４は、図３に示すように、画像形成装置Ｍ１の本体の奥側の端縁部４ａと左側の端縁部４ｂを基準として、原稿６を載置するいわゆるコーナーレジ方式のものである。
【００６２】
４つの原稿サイズ検知センサＳ１〜Ｓ４のうち、第１の原稿サイズ検知センサＳ１は、プラテンガラス４の左側の端縁４ｂの内側に横長のＡ４サイズの原稿６（Ａ４ＳＥＦ（Ｓｈｏｒｔ  Ｅｄｇｅ  Ｆｅｅｄ）：Ａ４タテ）の外側であって、かつ横長のＢ４サイズの原稿６（Ｂ４ＳＥＦ（Ｂ４タテ））の内側に配置されていると共に、第２の原稿サイズ検知センサＳ２は、プラテンガラス４の左側の端縁部４ｂの内側に横長のＢ４サイズの原稿６（Ｂ４ＳＥＦ（Ｂ４タテ））の外側であって、かつ横長のＡ３サイズの原稿６（Ａ３ＳＥＦ（Ａ３タテ））の内側に配置されている。
【００６３】
また、第３の原稿サイズ検知センサＳ３は、プラテンガラス４の奥側の端縁部４ａの内側に横長のＡ５サイズの原稿６（Ａ５ＳＥＦ（Ａ５タテ））の外側であって、かつ横長のＢ５サイズの原稿６（Ｂ５ＳＥＦ（Ｂ５タテ））の内側に配置されていると共に、第４の原稿サイズ検知センサＳ４は、プラテンガラス４の奥側の端縁部４ａの内側に横長のＢ５サイズの原稿６（Ｂ５ＳＥＦ（Ｂ５タテ））の外側であって、かつ横長のＡ４サイズの原稿６（Ａ４ＳＥＦ（Ａ４タテ））の内側に配置されている。
【００６４】
そして、原稿サイズ検知センサＳ１〜Ｓ４は、図４に示すように、各センサＳ１〜Ｓ４が原稿６を検知したか否かによって出力が変化（原稿６を検知した場合には「１」、検知しない場合には「０」）し、マイクロコンピュータ等で構成される制御部８００（図５、図６参照）は、各センサＳ１〜Ｓ４の出力（０、１）の組み合わせに基づいて、原稿６のサイズを判定するようになっている。
【００６５】
また、全ての原稿サイズ検知センサＳ１〜Ｓ４が原稿６を検知しない場合には、予め設定してあるサイズ、例えばＡ５サイズ等の原稿サイズと判定するようになっている。
【００６６】
すなわち、図４に示す例では、検知センサ（Ｓ１、Ｓ２、Ｓ３、Ｓ４）の出力が（０、０、０、０）の場合には原稿なし、（１、０、０、０）の場合にはＢ５ＬＥＦ（Ｌｏｎｇ  Ｅｄｇｅ  Ｆｅｅｄ：Ｂ５ヨコ）、（１、１、０、０）の場合にはＡ４ＬＥＦ（Ａ４ヨコ）、（０、０、１、０）の場合にはＢ５ＳＥＦ（Ｂ５タテ）、（０、０、１、０）の場合にはＡ４ＳＥＦ（Ａ４タテ）、（１、０、１、０）の場合にはＢ４ＳＥＦ（Ｂ４タテ）、（１、１、１、１）の場合にはＡ３ＳＥＦ（Ａ３タテ）と判定するようになっている。
【００６７】
これにより、原稿６の読み取りに先立って原稿６のサイズが検知される。
【００６８】
なお、原稿サイズ検知装置は上記構成に限定されず様々な形態のものが採用される。
【００６９】
例えば、ＣＣＤイメージセンサ  （Ｃｈａｒｇｅ  Ｃｏｕｐｌｅｄ  Ｄｅｖｉｃｅ  Ｉｍａｇｅ  Ｓｅｎｓｏｒ）によって縦方向の画素数を取得し、横方向に設けられる光センサとの組合せによって、原稿サイズを判定するようにしてもよい（特開平９−１９１３７０号公報等参照）。
【００７０】
また、自動紙送り装置を備える場合には、原稿６の読み取りを実行する前に、主走査、副走査のセンサ情報から原稿サイズを検知するようにしてもよい。
【００７１】
次に、図５のブロック図を参照して、本実施の形態に係る画像形成装置Ｍ１の概略構成について説明する。
【００７２】
画像形成装置Ｍ１は、例えばマイクロコンピュータ等で構成されて画像形成装置Ｍ１の全体の制御処理（より具体的には、検知した原稿サイズに基づいて原稿読み取り装置２００への読取指示や画像形成部６００へ出力指示を出したり、原稿サイズ検知処理の切り替え等の制御処理）を行う制御部８００を備える。
【００７３】
また、読み取りに先立って原稿６のサイズを検知する原稿サイズ検知センサＳ１〜Ｓ４と、読み取った原稿の主走査長や副走査長を検出したり、読み取った画像情報に基づくなどして原稿６の実際のサイズを検知する原稿実サイズ検知部３００と、画像情報に対して拡大、縮小、回転の少なくとも何れかの画像処理を行う画像処理部４００と、原稿６を設定された解像度で読み取る原稿読取装置２００と、読み取られた画像情報を蓄積するハードディスク装置等で構成される画像蓄積部１５０を備える。
【００７４】
さらに、原稿の読み取りを行うための原稿搬送を行う自動紙送り装置１５３と、画像形成装置Ｍ１を操作する各種の操作キーおよび表示器等で構成される操作部／表示部１５１と、システムデータ、各種設定情報を記憶するメモリ部としてのＲＡＭ１５２等を備える。
【００７５】
また、後述する印刷用紙決定部５００、判定部７００および印刷用紙１５に画像形成を行う画像形成部６００を備える。
【００７６】
なお、自動紙送り装置１５３は、原稿の位置情報や各種センサの情報を制御部８００や原稿実サイズ検知部３００等へ通知するようにしてもよい。
【００７７】
次に、図６の機能ブロック図を参照して、本実施の形態に係る画像形成装置Ｍ１の機能構成について説明する。
【００７８】
画像形成装置Ｍ１は、原稿６の読み取りに先立って原稿６のサイズを検知する原稿サイズ検知センサＳ１〜Ｓ４（第１の検知手段の一例）と、設定された読取倍率で原稿６の画像情報を読み取る原稿読取装置２００（読取手段の一例）と、原稿６の実際のサイズを検知する原稿実サイズ検知部３００（第２の検知手段の一例）とを備える。
【００７９】
また、原稿サイズ検知センサＳ１〜Ｓ４で検知されたサイズまたは原稿実サイズ検知部３００で検知された実際のサイズの何れかに基づいて、画像情報に対して画像処理を行う画像処理部４００（処理手段の一例）を備える。
【００８０】
また、画像処理部４００で画像処理された画像情報が収まるサイズの記録媒体１５を決定する印刷用紙決定部５００（決定手段の一例）と、印刷用紙決定部５００で決定された印刷用紙１５に対して、画像処理部４００で画像処理された画像情報に基づいて画像形成（印刷処理）を行う感光体ドラム２や現像装置等で構成される画像形成部６００（画像形成手段の一例）を備える。
【００８１】
さらに、サイズ毎に記録媒体を収容する複数（本実施の形態では２つ）の収容部Ｔ１、Ｔ２（収容手段の一例）を備え、印刷用紙決定部５００（決定手段の一例）は、決定された印刷用紙１５に応じて収容部Ｔ１、Ｔ２の何れかを選択するようになっている。
【００８２】
また、印刷用紙決定部５００で決定されたサイズの印刷用紙１５が収容部Ｔ１、Ｔ２の何れかに存在するか否かを判定する判定部７００（判定手段の一例）と、判定部７００で当該サイズの印刷用紙１５が存在すると判定された場合には当該サイズの印刷用紙１５を収容した収容部を選択し、前記サイズの印刷用紙１５が存在しないと判定された場合には原稿サイズ検知センサＳ１〜Ｓ４で検知されたサイズに該当する印刷用紙１５が収容された収容部を選択するように制御するマイクロコンピュータ等で構成される制御部８００（制御手段の一例）とを備える。
【００８３】
また、画像処理部４００は、画像情報に対して、拡大処理、縮小処理を行う画像拡大・縮小処理部４０１、および画像を例えば９０度回転させるなどの回転処理を行う画像回転処理部４０２を備える。
【００８４】
この画像処理部４００は、タッチパネル等で構成される許容範囲設定部４０３を備えており、当該許容範囲設定部４０３で設定された範囲（許容範囲）内（例えば、７０〜９０％、１０１〜１１０％など）で、拡大処理または縮小処理における拡大倍率または縮小倍率を変更する。
【００８５】
なお、前記許容範囲は、許容範囲設定部４０３で設定する以外に、工場出荷時等に予め設定するようにしてもよい。
【００８６】
また、印刷用紙決定部５００は、前記許容範囲内において原稿６が収まる最小サイズの印刷用紙を決定するようにしてもよい。
【００８７】
次に、図７のフローチャートを参照して、画像形成装置Ｍ１で実行される複写処理の処理手順について説明する。
【００８８】
この処理が開始されると、まず、ステップＳ１０で原稿サイズ検知センサＳ１〜Ｓ４によって原稿６の原稿サイズの検知を行ってステップＳ１１に移行する。
【００８９】
ステップＳ１１では、原稿読取装置２００により、設定された倍率で原稿の読み取りを行ってからステップＳ１２に移行する。
【００９０】
ステップＳ１２では、原稿実サイズ検知部３００により、読み取った画像情報に基づいて原稿６の実際のサイズを検知してステップＳ１３に移行する。
【００９１】
ステップＳ１３では、画像処理部４００により、設定された許容倍率（許容範囲：例えば縮小の場合には７０〜９０％、拡大の場合には１０１〜１１０％など）での縮小または拡大のイメージサイズを計算してステップＳ１４に移行する。
【００９２】
ステップＳ１４では、算出されたイメージサイズに基づいて、当該イメージサイズが収まる定型サイズの印刷用紙を決定してステップＳ１５に移行する。
【００９３】
ステップＳ１５では、判定部７００により、該当する定型サイズがあるか否かが判定され、「Ｙｅｓ」の場合にはステップＳ１６に移行する。
【００９４】
ステップＳ１６では、選択された定型サイズの印刷用紙を収容した収容部はあるか否かが判定され、「Ｙｅｓ」の場合にはステップＳ１７に移行し、収容部を確定してステップＳ１８に移行する。
【００９５】
ステップＳ１８では、イメージデータ（画像情報）の縮小処理、拡大処理、回転処理の内容（縮小率、拡大率、回転を行うか否か等）を確定してステップＳ１９に移行する。
【００９６】
ステップＳ１９では、画像処理部４００により、画像情報を決定した倍率で縮小処理または拡大処理、また回転処理を行う場合には回転処理を実行してステップＳ２０に移行する。
【００９７】
ステップＳ２０では、画像処理された画像情報に基づいて、画像形成部６００により印刷用紙への画像形成を実行して処理を終了する。
【００９８】
一方、ステップＳ１５またはステップＳ１６において「Ｎｏ」と判定された場合、すなわち該当する定型サイズの印刷用紙は無い、または選択したサイズの収容部は無いと判定された場合には、ステップＳ２１に移行する。
【００９９】
ステップＳ２１では、ステップＳ１０で検知された原稿サイズに該当する収容部を選択してステップＳ２０に移行し、ステップＳ１１で読み取られた画像情報に基づいて、画像形成部６００により印刷用紙への画像形成を実行して処理を終了する。
【０１００】
ここで、図８の説明図を参照して、図７のフローチャートに示す複写処理の具体的な実行例について説明する。
【０１０１】
なお、この実行例では、原稿６のサイズは非定型の２９７ｍｍ×２３０ｍｍであるものとし、倍率１００％で読み取り、自動倍率制限（許容範囲）は９０〜１１０％と設定されているものとする。
【０１０２】
そして、ステップＳ１０では、原稿サイズとして２９７ｍｍ×４２０ｍｍのＡ３ＳＥＦ（Ａ３タテ）と検知される。
【０１０３】
すなわち、前出の図４によれば、原稿６を検知した際に、原稿サイズ検知センサＳ１〜Ｓ４の全てから「１」が出力され、（１、１、１、１）としてＡ３ＳＥＦ（Ａ３タテ）と判定される。
【０１０４】
このように、この実行例において、原稿６は、実際の原稿サイズ（２９７ｍｍ×２３０ｍｍ）よりも大き目のＡ３ＳＥＦ（Ａ３タテ）として検知される。
【０１０５】
ステップＳ１１では、設定倍率１００％で原稿６の読み取りを行う。
【０１０６】
次いで、ステップＳ１２では、読み取った画像情報に基づいて、原稿６の実際のサイズ（２９７ｍｍ×２３０ｍｍ）が検知される。
【０１０７】
ステップＳ１３では、自動倍率制限（許容範囲）である９０〜１１０％で演算処理が行われ、２６７．３ｍｍ×２０７ｍｍ（９０％）〜３２６．７ｍｍ×２５３ｍｍ（１１０％）の範囲、もしくは画像回転を考慮し、２０７ｍｍ×２６７．３ｍｍ（９０％）〜２５３ｍｍ×３２６．７ｍｍ（１１０％）の範囲であることが判明する。
【０１０８】
ステップＳ１４では、図８に示すように、Ａ４ＬＥＦ（２９７×２１０）が選択（倍率９１．３％、画像サイズ２７１．１ｍｍ×２１０ｍｍ）される。
【０１０９】
なお、Ａ４ＳＥＦ（Ａ４タテ）（２１０×２９７）も同時に存在した場合には、画像回転を行なわない印刷用紙を優先するようにしてもよい。
【０１１０】
また、回転を含めて、拡大、縮小の両ケースともに候補がある場合には、縮小を優先するようにしてもよい。
【０１１１】
さらに、回転の有無、優先させたい収容部、優先させたい縮小処理、拡大処理を使用者等が設定するようにしてもよい。
【０１１２】
そして、ステップＳ１５〜２０については、例えば、画像形成装置Ｍ１の収容部Ｔ１、Ｔ２の何れかにＡ４ＬＥＦ（Ａ４ヨコ）の印刷用紙が収容されている場合には、（倍率９１．３％、画像サイズ２７１．１ｍｍ×２１０ｍｍ）の縮小処理を行った画像情報に基づいてＡ４ＬＥＦ（Ａ４ヨコ）の印刷用紙に対して印刷処理が行われる。
【０１１３】
一方、画像形成装置Ｍ１の収容部Ｔ１、Ｔ２の何れにもＡ４ＬＥＦ（Ａ４ヨコ）が収容されておらず、収容部Ｔ１、Ｔ２の何れかにＡ３ＳＥＦ（Ａ３タテ）の印刷用紙が収容されている場合には、ステップＳ２１に移行して、（倍率１００％、画像サイズ２９７ｍｍ×２３０ｍｍ）の画像情報に基づいてＡ３ＳＥＦ（Ａ３タテ）の印刷用紙に対して印刷処理が行われることとなる。
【０１１４】
このように、本実施の形態に係る画像形成装置Ｍ１によれば、原稿６が印刷用紙により的確に収まるように複写が行われる。
【０１１５】
また、より適したサイズの印刷用紙に原稿６が収まるように複写が行われる。
【０１１６】
また、設定された範囲内で拡大処理または縮小処理における拡大倍率または縮小倍率を変更して、使用者等の違和感を極力緩和した複写が行われる。
【０１１７】
さらに、印刷用紙における余白部が広くなりすぎないようにして、使用者等の違和感を緩和した複写が行われる。
【０１１８】
（第２の実施の形態）
【０１１９】
次に、図９および図１０を参照して、本発明についての第２の実施の形態に係る画像形成装置Ｍ２について説明する。
【０１２０】
なお、第１の実施の形態に係る画像形成装置Ｍ１と同様の構成については同一符号を付して詳細な説明は割愛する。
【０１２１】
画像形成装置Ｍ２の全体構成は、第１の実施の形態に係る画像形成装置Ｍ１と同様である（図１〜図５参照）。
【０１２２】
図９の機能ブロック図を参照して、本実施の形態に係る画像形成装置Ｍ２の機能構成について説明する。
【０１２３】
画像形成装置Ｍ２は、原稿６の読み取りに先立って原稿６のサイズを検知する原稿サイズ検知センサＳ１〜Ｓ４（第１の検知手段の一例）と、露光手段３等で構成される原稿読取装置２００（読取手段の一例）と、サイズ毎に印刷用紙（記録媒体の一例）を収容する複数（本実施の形態では、４つ設けられるものとする）の収容部Ｔ１〜Ｔ４（収容手段の一例）とを備える。
【０１２４】
また、原稿読取装置２００で読み取った画像情報について、収容部Ｔ１〜Ｔ４に収容されている何れかの印刷用紙に収まる画像サイズを、設定された範囲（許容範囲：例えば、７０〜９０％、１０１〜１１０％など）内で算出する画像サイズ算出部９００（算出手段の一例）と、原稿６の実際のサイズを検知する原稿実サイズ検知部３００（第２の検知手段の一例）とを備える。
【０１２５】
さらに、原稿実サイズ検知部３００で検知された原稿６の実際のサイズと画像サイズ算出部９００で算出された画像サイズとを比較する比較部９５０（比較手段の一例）と、比較部９５０による比較結果に基づいて、画像情報が収まるサイズの印刷用紙を決定する印刷用紙決定部５００（決定手段の一例）と、印刷用紙決定部５００で決定されたサイズの印刷用紙が複数の収容部Ｔ１〜Ｔ４の何れかに存在するか否かを判定する判定部７００（判定手段の一例）とを備える。
【０１２６】
また、判定部７００で当該サイズの印刷用紙が存在すると判定された場合には当該サイズの印刷用紙を収容した収容部を選択し、前記サイズの印刷用紙が存在しないと判定された場合には原稿サイズ検知センサＳ１〜Ｓ４で検知されたサイズに該当する印刷用紙が収容された収容部を選択するように制御するマイクロコンピュータ等で構成される制御部８００（制御手段の一例）を備える。
【０１２７】
また、前記画像情報に対して画像処理を行う画像処理部４００（処理手段の一例）と、制御部８００による制御で選択された収容部Ｔ１〜Ｔ４に収容されている印刷用紙に対して、画像処理部４００で画像処理が行われた画像情報または原稿読取装置２００で読み取られた画像情報に基づいて画像形成を行う画像形成部６００（画像形成手段の一例）とを備える。
【０１２８】
また、画像処理部４００は、画像情報に対して、拡大処理、縮小処理または回転処理のうち少なくとも一つの処理を行う画像拡大・縮小処理部４０１および画像回転処理部４０２を備える。
【０１２９】
さらに、画像処理部４００は、タッチパネル等で構成される許容範囲設定部４０３を備える。
【０１３０】
また、画像サイズ算出部９００による算出結果に基づいて、拡大処理または縮小処理を実行する。
【０１３１】
なお、印刷用紙決定部５００は、前記許容範囲内において原稿６が収まる最小サイズの印刷用紙を決定するようにしてもよい。
【０１３２】
また、本実施の形態では、収容部は４つ設けられるものとしたが、これに限らず少なくとも２つ以上であれば幾つであってもよい。
【０１３３】
次に、図１０のフローチャートを参照して、画像形成装置Ｍ２で実行される複写処理の処理手順について説明する。
【０１３４】
この処理が開始されると、まず、ステップＳ３０で原稿サイズ検知センサＳ１〜Ｓ４によって原稿６の原稿サイズの検知を行ってステップＳ３１に移行する。
【０１３５】
ステップＳ３１では、画像サイズ算出部９００により、収容部Ｔ１〜Ｔ４に収容されている印刷用紙のサイズから、許容範囲（例えば、７０〜９０％、９０〜１１０％など）内で取りうる原稿サイズ（例えば、原稿サイズの縦、横のサイズ）を算出してステップＳ３２に移行する。
【０１３６】
なお、この際に、画像を回転させる場合も想定して、縦・横を入れ替えたサイズも算出してＲＡＭ１５２等に保持しておくようにしてもよい。
【０１３７】
ステップＳ３２では、全ての収容部に対して前記原稿サイズを計算したか否かが判定され、「Ｎｏ」の場合には処理を繰り返し、「Ｙｅｓ」の場合にはステップＳ３３に移行する。
【０１３８】
ステップＳ３３では、設定倍率で原稿６の読み取りを行ってステップＳ３４に移行する。
【０１３９】
ステップＳ３４では、原稿実サイズ検知部３００により、原稿６のサイズを検知してステップＳ３５に移行する。
【０１４０】
ステップＳ３５では、比較部９５で、原稿サイズと表１に示すような「縦・横範囲テーブル」とを比較してステップＳ３６に移行する。
【表１】
2012129874.tif 000003
【０１４１】
なお、「縦・横範囲テーブル」は、ＲＡＭ１５２や、別途設けられるフラッシュメモリ、ＥＰＲＯＭ等の不揮発性メモリに格納される。
【０１４２】
ステップＳ３６では、イメージサイズが収まる収容部を決定してステップＳ３７に移行する。
【０１４３】
ステップＳ３７では、判定部７００により、選択したサイズの収容部は画像形成装置Ｍ２に存在するか否かが判定され、「Ｙｅｓ」の場合にはステップＳ３８に移行する。
【０１４４】
ステップＳ３８では、イメージ（画像情報）の縮小処理、拡大処理、回転処理の内容（縮小率、拡大率、回転を行うか否か等）を確定してステップＳ３９に移行する。
【０１４５】
ステップＳ３９では、画像処理部４００により、画像情報を決定した倍率で縮小処理または拡大処理、回転処理を実行してステップＳ４０に移行する。
【０１４６】
ステップＳ４０では、画像処理された画像情報に基づいて、画像形成部６００により印刷用紙への画像形成を実行して処理を終了する。
【０１４７】
一方、ステップＳ３７において「Ｎｏ」と判定された場合、すなわち選択したサイズの収容部は無いと判定された場合には、ステップＳ４１に移行する。
【０１４８】
ステップＳ４１では、ステップＳ２０で検知された原稿サイズに該当する収容部を選択してステップＳ４０に移行し、ステップＳ３１で読み取られた画像情報に基づいて、画像形成部６００により印刷用紙への画像形成を実行して処理を終了する。
【０１４９】
ここで、前出の図８の説明図を参照して、図１０のフローチャートに示す複写処理の具体的な実行例について説明する。
【０１５０】
なお、この実行例では、原稿６のサイズは非定型の２９７ｍｍ×２３０ｍｍであるものとし、倍率１００％で読み取り、自動倍率制限（許容範囲）は９０〜１１０％と設定されているものとする。
【０１５１】
そして、ステップＳ３０では、原稿サイズとして２９７ｍｍ×４２０ｍｍのＡ３ＳＥＦ（Ａ３タテ）と検知される。
【０１５２】
すなわち、前出の図４によれば、原稿６を検知した際に、原稿サイズ検知センサＳ１〜Ｓ４の全てから「１」が出力され、（１、１、１、１）としてＡ３ＳＥＦ（Ａ３タテ）と判定される。
【０１５３】
このように、この実行例では、原稿６は、実際の原稿サイズ（２９７ｍｍ×２３０ｍｍ）よりも大き目のＡ３ＳＥＦ（Ａ３タテ）として検知される。
【０１５４】
次いで、ステップＳ３１およびステップＳ３２では、収容部Ｔ１〜Ｔ４に収容されている各サイズの印刷用紙について「縦・横」の範囲を算出する。
【０１５５】
すなわち、表１に示すように、収容部Ｎｏ．１に対応する収容部Ｔ１に２９７×２１０ｍｍ（Ａ４ＬＥＦ（Ａ４ヨコ））の印刷用紙が収容されている場合には、縦方向範囲を２６７．３〜３２６．７ｍｍ、横方向範囲を１８９〜２３１ｍｍと算出し、収容部Ｎｏ．２に対応する収容部Ｔ２に２５７×１８２ｍｍ（Ｂ５ＬＥＦ（Ｂ５ヨコ））の印刷用紙が収容されている場合には、縦方向範囲を２３１．３〜２８２．７ｍｍ、横方向範囲を１６３．８〜２００．２ｍｍと算出し、収容部Ｎｏ．３に対応する収容部Ｔ３に２９７×４２０ｍｍ（Ａ３ＳＥＦ（Ａ３タテ））の印刷用紙が収容されている場合には、縦方向範囲を２６７．３〜３２６．７ｍｍ、横方向範囲を３７８〜４６２ｍｍと算出し、収容部Ｎｏ．４に対応する収容部Ｔ４に２５７×３６４ｍｍ（Ｂ４ＳＥＦ（Ｂ４タテ））の印刷用紙が収容されている場合には、縦方向範囲を２３１．３〜２８２．７ｍｍ、横方向範囲を３２７．６〜４００．４ｍｍと算出する。
【０１５６】
ステップＳ３３では、設定倍率１００％で原稿６の読み取りを行う。
【０１５７】
次いで、ステップＳ３４では、読み取った原稿の主走査長や副走査長あるいは読み取った画像情報に基づいて、原稿６の実際のサイズ（２９７ｍｍ×２３０ｍｍ）が検知される。
【０１５８】
ステップＳ３５〜Ｓ３６では、イメージが収まる収容部が複数候補として上がった場合に、回転を行なわないもの、倍率変化が小さいものを優先して収容部を選択する。
【０１５９】
表２では、収容部Ｎｏ．１に該当する収容部Ｔ１（２９７×２１０ｍｍ（Ａ４ＬＥＦ（Ａ４ヨコ））の印刷用紙を収容：縦方向範囲２６７．３〜３２６．７ｍｍ、横方向範囲１８９〜２３１ｍｍ）を選択した場合を示す。
【表２】
2012129874.tif 000004
【０１６０】
そして、ステップＳ３７〜Ｓ４０については、上記の例によれば、例えば（倍率９１．３％、画像サイズ２７１．１ｍｍ×２１０ｍｍ）の縮小処理を行った画像情報に基づいて、収容部Ｔ１に収容されているＡ４ＬＥＦ（Ａ４ヨコ）の印刷用紙に対して印刷処理が行われる。
【０１６１】
一方、画像形成装置Ｍ１の収容部Ｔ１〜Ｔ４の何れにもＡ４ＬＥＦ（Ａ４ヨコ）が収容されておらず、収容部Ｔ１〜Ｔ４の何れかにＡ３ＳＥＦ（Ａ３タテ）の印刷用紙が収容されている場合には、ステップＳ４１に移行して、（倍率１００％、画像サイズ２９７ｍｍ×２３０ｍｍ）の画像情報に基づいてＡ３ＳＥＦ（Ａ３タテ）の印刷用紙に対して印刷処理が行われることとなる。
【０１６２】
このように、本実施の形態に係る画像形成装置Ｍ２によれば、原稿６が印刷用紙により的確に収まるように複写が行われる。
【０１６３】
また、より適したサイズの印刷用紙に原稿６が収まるように複写が行われる。
【０１６４】
また、設定された範囲内で拡大処理または縮小処理における拡大倍率または縮小倍率を変更して、使用者等の違和感を極力緩和した複写が行われる。
【０１６５】
さらに、印刷用紙における余白部が広くなりすぎないようにして、使用者等の違和感を緩和した複写が行われる。
【０１６６】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載にしたがって解釈すべきであり、特許請求の範囲の記載技術と均等な技術および特許請求の範囲内でのすべての変更が含まれる。
【０１６７】
また、プログラムを用いる場合には、ネットワークを介して提供し、或いはＣＤ−ＲＯＭ等の記録媒体に格納して提供することが可能である。
【０１６８】
すなわち、画像処理プログラムを含む所定のプログラムを記録媒体としてのハードディスク等の記憶装置に記録する場合に限らず、当該所定のプログラムを次のようにして提供することも可能である。
【０１６９】
例えば、所定のプログラムをＲＯＭに格納しておき、ＣＰＵが、この所定のプログラムをこのＲＯＭから主記憶装置へローディングして実行するようにしてもよい。
【０１７０】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１７１】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１７２】
本発明による画像制御装置、画像形成装置、画像形成システムおよび処理プログラムは、複写機、複写機能を備えるプリンタ等に適用することができる。
【符号の説明】
【０１７３】
Ｍ１、Ｍ２  画像形成装置
２  感光体ドラム
３  露光手段
４  原稿台
５  原稿カバー
６  原稿
７  光源
８  光学系
１２  結像レンズ
１５  記録媒体
１６  転写帯電器
１７  分離帯電器
１８  定着装置
１９  排出部
１００  原稿サイズ検知装置
１５０  画像蓄積部
１５１  操作部／表示部
１５２  ＲＡＭ
２００  原稿読取装置
３００  原稿実サイズ検知部
４００  画像処理部
４０１  画像拡大・縮小処理部
４０２  画像回転処理部
４０３  許容範囲設定部
５００  印刷用紙決定部
６００  画像形成部
７００  判定部
８００  制御部
９００  算出部
９５０  比較部
Ｓ１〜Ｓ４  原稿サイズ検知センサ
Ｔ１〜Ｔ４  収容部
【図１】
2012129874.tif 000005
【図２】
2012129874.tif 000006
【図３】
2012129874.tif 000007
【図４】
2012129874.tif 000008
【図５】
2012129874.tif 000009
【図６】
2012129874.tif 000010
【図７】
2012129874.tif 000011
【図８】
2012129874.tif 000012
【図９】
2012129874.tif 000013
【図１０】
2012129874.tif 000014